(57)【要約】【課題】一方の筐体を他方の筐体に対して開閉する操作を、機能のプログラムに対する操作として有効に利用することができるようにした重ね型携帯端末装置を提供する。【解決手段】表示部１１を有する第１筐体３２と、操作部１６を有する第２筐体３４とを有し、第１筐体は閉状態にて操作部を覆うように第２筐体上に重ねて配置されると共に、第１，第２筐体は操作部を有する面に垂直な軸３６を中心に回転可能に連結され、表示部の表示面１２は閉状態及び開状態のいずれの状態でも外側に露出させることが可能な重ね型携帯端末装置３０であって、第２筐体の操作部を有する面以外の面に配置されるスイッチ４０と、スイッチが入力されている間に回転した第１筐体の回転数を計測する回転数計測部４６と、回転数に基づいて異なるプログラムを起動させる制御部４２とを有するようにした。【選択図】      図３
2004260749.tif 000002
【特許請求の範囲】
【請求項１】
少なくとも表示部を有する第１筐体と、少なくとも操作部を有する第２筐体とを有し、
前記第１筐体は閉状態にて前記操作部を覆うように前記第２筐体上に重ねて配置されると共に、
前記第１，第２筐体は前記操作部を有する面に垂直な軸を中心に回転可能に連結され、
前記表示部の表示面は閉状態及び開状態のいずれの状態でも外側に露出させることが可能な重ね型携帯端末装置であって、
前記第２筐体の操作部を有する面以外の面に配置されるスイッチと、
該スイッチが入力されている間に回転した前記第１筐体の第２筐体に対する回転数を計測する回転数計測部と、
該回転数計測部が計測した回転数に基づいて異なるプログラムを起動させる制御部と
を有することを特徴とする重ね型携帯端末装置。
【請求項２】
少なくとも表示部を有する第１筐体と、少なくとも操作部を有する第２筐体とを有し、
前記第１筐体は閉状態にて前記操作部を覆うように前記第２筐体上に重ねて配置されると共に、
前記第１，第２筐体は前記操作部を有する面に垂直な軸を中心に回動可能に連結され、
前記表示部の表示面は閉状態及び開状態のいずれの状態でも外側に露出させることが可能な重ね型携帯端末装置であって、
前記第２筐体の操作部を有する面以外の面に配置されるスイッチと、
該スイッチが入力されている間に回動した前記第１筐体の第２筐体に対する回動角度を計測する回動角度計測部と、
該回動角度計測部が計測した回動角度に基づいて異なるプログラムを起動させる制御部と
を有することを特徴とする重ね型携帯端末装置。
【請求項３】
少なくとも表示部を有する第１筐体と、少なくとも操作部を有する第２筐体とを有し、
前記第１筐体は閉状態にて前記操作部を覆うように前記第２筐体上に重ねて配置されると共に、
前記第１，第２筐体は前記操作部を有する面に垂直な軸を中心に回転可能に連結され、
前記表示部の表示面は閉状態及び開状態のいずれの状態でも外側に露出させることが可能な重ね型携帯端末装置であって、
前記第１筐体の前記第２筐体に対する角度の状態を検出する状態検出部と、
閉状態又は開状態から前記第１筐体が前記第２筐体に対して回転を開始したときに時間の計測を開始するタイマーと、
該タイマーが所定時間を計測するまでに前記状態検出部の検出経過に基づいて第１筐体の所定回転方向と所定回転数を判別した場合に、これに対応する所定プログラムを起動又は終了させる制御部と
を有することを特徴とする重ね型携帯端末装置。
【請求項４】
前記所定時間、所定回転数、及び所定プログラムの少なくとも１つを変更することができるようにしたことを特徴とする請求項３に記載の重ね型携帯端末装置。
【発明の詳細な説明】
【０００１】
【発明の属する技術分野】
本発明は、携帯電話機やＰＤＡ（Ｐｅｒｓｏｎａｌ  Ｄｉｇｉｔａｌ  Ａｓｓｉｓｔａｎｔｓ）等の携帯端末装置に関し、詳しくは、互いに重ね合わせ可能に連結された複数の筐体から構成される重ね型携帯端末装置に関するものである。
【０００２】
【従来の技術】
【特許文献１】特開平１１−２１５２１８号公報
【特許文献２】特開２００２−１４１９８４号公報
【特許文献３】特開２００２−１３５３８０号公報
【特許文献４】特開平７−２８８８６０号公報
【０００３】
従来、２つの筐体を折り畳むことが可能な折り畳み型携帯端末装置として、図１１に示すような折り畳み型携帯電話機２が一般的に知られている。この折り畳み型携帯電話機２は、一方の筐体４の内側面１０に出力情報を表示するＬＣＤ（液晶ディスプレイ）等の表示部１１がその表示面１２を見ることができるようにして設けられ、その上側にはスピーカー１３が設けられている。そして、他方の筐体６の内側面１４には、操作部１６及びマイク１５が設けられている。
【０００４】
操作部１６には、表示面１２に表示される項目を選択することができるように、上下左右の方向に指示することができる十字キー１８、数字や文字を入力することができるテンキー２０、その他各種のキーを配置することができるようになっている。
【０００５】
このような折り畳み型携帯電話機２は、それが持つ各種機能を利用したときや、操作部１６により何等かの操作をしたとき、また着信があったとき等には、これに対応する出力情報等を表示面１２に表示するようになっている。
【０００６】
しかしながら、このような折り畳み型携帯電話機２においては、一方の筐体４と他方の筐体６が互いに最も接近して折り畳まれているときには、これらが互いに離れるよう開いてからでなければ表示面１２に表示される画面を見ることができず、折り畳んだ状態では表示面１２に情報を出力しても閲覧することができないという問題があった。
【０００７】
このような、表示面１２を閲覧するために折り畳み型携帯電話機２の筐体４と筐体６を開く手間がかかって煩わしいという問題を解決するために、開いた場合だけでなく、折り畳んだ状態又はこれに相当する状態にした場合であっても、表示面１２が外側に向くようにしたものがある。
【０００８】
このような携帯端末装置としては、例えば前記特許文献１、特許文献２、及び特許文献３に記載されているような重ね型携帯端末装置がある。これらの重ね型携帯端末装置は、連結される２つの筐体を開いた状態では、図１１に示す折り畳み型携帯電話機２の姿勢と同様に、一方の筐体に設けられている表示面が外側を向いている。
【０００９】
しかしながら、このような特許文献に記載された重ね型携帯端末装置は、前記折り畳み型携帯電話機２とは異なり、２つの筐体の連結部で、一方の筐体を１８０度捻りながら折り畳んで重ねることができる構造になっているので、表示面が外側に向くようにして２つの筐体を重ねることができる。
【００１０】
また、他の従来の重ね型携帯端末装置としては、前記特許文献４に記載されているものがある。この従来の重ね型携帯端末装置は、表示面が設けられている一方の筐体と、操作部が設けられている他方の筐体が、表示面と操作部を同じ方向に向けて重ねた状態で、これらの２つの筐体の表示面や操作部の面に垂直な軸を中心に回動可能に互いの筐体の端部が連結されている。
【００１１】
この重ね型携帯端末装置は、一方の筐体が他方の筐体に対し、軸を中心として１８０°回動する動作により開くことができ、また、このように開かなくとも表示面が外側に向いたままで２つの筐体を重ねた状態にしておくことができるので、ユーザーは２つの筐体をわざわざ開かなくとも表示面に表示される画面を常に見ることができるようになっている。
【００１２】
【発明が解決しようとする課題】
しかしながら、上記のような捻りや回動により一方の筐体を他方の筐体に対して開閉する操作は、重ね型携帯端末装置に備えられている各種機能のプログラムに対する操作としては有効に活用されていないという問題点があった。
【００１３】
すなわち、捻りや回動により一方の筐体を他方の筐体に対して開閉する操作は、テンキーや十字キー等の操作と全く異なる方法の操作であるため、ユーザーはテンキーや十字キー等と明確に区別して操作することができるという特性を有しているにもかかわらず、従来はあまり有効に活用されていなかった。
【００１４】
そこで本発明は、一方の筐体を他方の筐体に対して開閉する操作を、機能のプログラムに対する操作として有効に利用することができるようにした重ね型携帯端末装置を提供することを課題とするものである。
【００１５】
【課題を解決するための手段】
上記課題を解決するために本発明の請求項１は、
少なくとも表示部を有する第１筐体と、少なくとも操作部を有する第２筐体とを有し、
前記第１筐体は閉状態にて前記操作部を覆うように前記第２筐体上に重ねて配置されると共に、
前記第１，第２筐体は前記操作部を有する面に垂直な軸を中心に回転可能に連結され、
前記表示部の表示面は閉状態及び開状態のいずれの状態でも外側に露出させることが可能な重ね型携帯端末装置であって、
前記第２筐体の操作部を有する面以外の面に配置される押しボタン等のスイッチと、
このスイッチが入力されている間に回転した前記第１筐体の第２筐体に対する回転数を計測する回転数計測部と、
この回転数計測部が計測した回転数に基づいて異なるプログラムを起動させる制御部とを有するようにしたものである。
【００１６】
また、本発明の請求項２は、
少なくとも表示部を有する第１筐体と、少なくとも操作部を有する第２筐体とを有し、
前記第１筐体は閉状態にて前記操作部を覆うように前記第２筐体上に重ねて配置されると共に、
前記第１，第２筐体は前記操作部を有する面に垂直な軸を中心に回動可能に連結され、
前記表示部の表示面は閉状態及び開状態のいずれの状態でも外側に露出させることが可能な重ね型携帯端末装置であって、
前記第２筐体の操作部を有する面以外の面に配置される押しボタン等のスイッチと、
このスイッチが入力されている間に回動した前記第１筐体の第２筐体に対する回動角度を計測する回動角度計測部と、
この回動角度計測部が計測した回動角度に基づいて異なるプログラムを起動させる制御部とを有するようにしたものである。
【００１７】
また、本発明の請求項３は、
少なくとも表示部を有する第１筐体と、少なくとも操作部を有する第２筐体とを有し、
前記第１筐体は閉状態にて前記操作部を覆うように前記第２筐体上に重ねて配置されると共に、
前記第１，第２筐体は前記操作部を有する面に垂直な軸を中心に回転可能に連結され、
前記表示部の表示面は閉状態及び開状態のいずれの状態でも外側に露出させることが可能な重ね型携帯端末装置であって、
前記第１筐体の前記第２筐体に対する角度の状態を検出する状態検出部と、
閉状態又は開状態から前記第１筐体が前記第２筐体に対して回転を開始したときに時間の計測を開始するタイマーと、
該タイマーが所定時間を計測するまでに前記状態検出部の検出経過に基づいて第１筐体の所定回転方向と所定回転数を判別した場合に、これに対応する所定プログラムを起動又は終了させる制御部とを有するようにしたものである。
【００１８】
このような本発明の請求項１及び請求項２に記載の重ね型携帯端末装置によれば、第１筐体を第２筐体に対して回転させることにより、種々のプログラムを起動させることができるようになるので、ユーザーはテンキーや十字キー等の操作部による操作と明確に区別して、その回転操作を有効利用することができる。
【００１９】
また、操作部による操作を行なわなくとも、第１筐体を回転させる操作により、表示部を見て直ぐにプログラムを起動させることができるようになるので操作性が向上する。また、第２筐体の操作部を有する面以外の面に配置された押しボタン等のスイッチを押し込んでスイッチを入力した状態で、第１筐体を回転させるようにするので誤動作を生じさせるおそれもない。
【００２０】
また、本発明の請求項３に記載の重ね型携帯端末装置によれば、第１筐体を第２筐体に対して回転させることにより、種々のプログラムを起動させることができるようになるので、ユーザーはテンキーや十字キーによる操作と明確に区別して、その回転操作を有効利用することができる。
【００２１】
さらに、操作部による操作を行なわなくとも、第１筐体を回転させる操作により、直ぐにプログラムを起動又は終了させることができるようになるので操作性が向上する。また、所定時間内に第１筐体を回転させるようにするので誤動作を生じさせるおそれもない。
【００２２】
【発明の実施の形態】
以下、本発明に係る重ね型携帯端末装置の実施の形態について、図面に基づいて具体的に説明する。
【００２３】
図１ないし図５は、本発明の第１の実施の形態に係る重ね型携帯電話機３０（重ね型携帯端末装置に相当）について説明するために参照する図である。これらの図に示す重ね型携帯電話機３０は、前記従来の折り畳み型携帯電話機２と同様の部分には同じ符号を付して説明し、従来と同様の構成についての重複する説明は省略するものとする。
【００２４】
この重ね型携帯電話機３０は、図１及び図２に示すように、第１筐体３２と第２筐体３４で構成され、第２筐体３４の操作部１６が配置される面に垂直の方向に設けられた軸３６により互いの端部が連結されている。
【００２５】
重ね型携帯電話機３０の第１筐体３２は、図１に示す矢印ａのように、第１筐体３２と第２筐体３４が互いに重ね合わされた閉じた状態から、軸３６を中心にして第２筐体３４に対して回転させることができようになっている。そして、第１筐体３２を第２筐体３４に対して１８０°の位置まで回転させることにより、図３に示すように、第２筐体３４に設けられた操作部１６が外側に見えるような、重ね型携帯電話機３０を開いた状態にすることができる。
【００２６】
なお、本発明では、図１及び図２に示すような状態を「重ねた状態」又は「閉状態」といい、図３に示すような状態を「開状態」ということとする。そして、「閉状態」から「開状態」にすることを「開動作」といい、「開状態」から「閉状態」にすることを「閉動作」ということとする。
【００２７】
そして、図１ないし図３に示すように、第２筐体３４の操作部１６が配置された面の背面側には、スイッチとしての押しボタン４０が設けらており、この押しボタン４０は、閉状態又は第１筐体３２の回転中であっても、操作することができるようになっている。
【００２８】
図４は、重ね型携帯電話機３０の回路を示すブロック図である。押しボタン４０は、押し込まれた状態が維持されている間、即ち、スイッチが入力されている間、その旨の信号を制御部４２に出力し続けるようになっている。
【００２９】
回転数計測部４６は、図１ないし図３において図示されていないが、例えば軸３６にエンコーダーを取り付けるか、或いは軸３６の外周に等間隔でスリットを入れ、軸３６に光を当てて光センサーで検知するなどすることにより、第１筐体３２の第２筐体３４に対する回転数を計測することができるようになっている。
【００３０】
制御部４２は、表示部１１、操作部１６、スピーカー１３、マイク１５、及びアンテナに接続された無線部４４等を制御して、各種の機能を実行するようになっている。
【００３１】
そして、制御部４２は、特に押しボタン４０が１回押し込まれた場合には、図５に示すような画面４８を表示部１１に表示させるように制御する。また、押しボタン４０が押し込まれて、その状態が維持されている間は、第１筐体３２の第２筐体３４に対する回転数を、回転数計測部４６に計測させるよう制御する。
【００３２】
次に、重ね型携帯電話機３０の動作について説明する。押しボタン４０を１回押し込むと、表示部１１には、図５に示すような画面４８が出力される。ユーザーはこの画面４８をみて、キーロックやマナーモード等のプログラムを起動させるためには、第１筐体３２を何回転させればよいかを知ることができるようになっている。ここで、本実施の形態においては、回転方向は問わないものとする。
【００３３】
そして、ユーザーは、押しボタン４０を押し込んだ状態を保持しながら、第１筐体３２を必要な回数だけ回転させる。押しボタン４０は、押し込まれた状態が保持されている間は、その旨の信号を制御部４２に出力し続ける。制御部４２は、この信号を受けると、回転数計測部４６に、第１筐体３２の第２筐体３４に対する回転数の計測を開始するように命令を出力するようになっている。
【００３４】
そして、押しボタン４６からユーザーの指が離れると、制御部４２は回転数計測部４６に、計測した回転数を出力させて、この回転数に基づいて対応するプログラムを起動する。
【００３５】
したがって、ユーザーは、例えばマナーモードを起動させようとする場合には、押しボタン４０を押し込んだ状態を維持しながら、第１筐体３２を第２筐体３４に対して時計回り方向または反時計周り方向に２回転させればよい。
【００３６】
なお、図５の画面４８に表示される、回転数ごとのプログラムは、ユーザーが異なるプログラムに変更することができるようになっていてもよく、このプログラムは、キーロック、マナーモード及び留守番電話に限られるものではない。
【００３７】
また、本実施の形態においては、回転数計測部４６が第１筐体３２の回転方向を問わずに計測するようになっていたが、いずれか一方向の回転のみを計測するようにしてもよい。
【００３８】
さらに、本実施の形態では、第１筐体３２が第２筐体３４に対して、完全に１回転した場合に、プログラムを起動させるようにしたが、１回転以内、或いは半回転以内の回転数において、プログラムを起動させるようにしても構わない。
【００３９】
このような重ね型携帯電話機３０によれば、第１筐体３２を第２筐体３４に対して回転させることにより、種々のプログラムを起動させることができるようになるので、ユーザーはテンキー２０や十字キー１８による操作と明確に区別して、その回転操作を有効利用することができる。
【００４０】
さらに、操作部１６による操作を行なわなくとも、第１筐体３２を回転させる操作により、表示部１１を見て直ぐにプログラムを起動させることができるようになるので操作性が向上する。また、第２筐体３４の背面に配置された押しボタン４０を押し込みながら、第１筐体３２を回転させるようにするので誤動作を生じさせるおそれもない。
【００４１】
次に、本発明の第２の実施の形態について説明する。図６ないし図８は、本実施の形態に係る重ね型携帯電話機５０（重ね型携帯端末装置に相当）について説明するために参照する図である。
【００４２】
この重ね型携帯電話機５０は、前記第１の実施の形態に係る重ね型携帯電話機３０と同様の部分には同じ符号を付して説明し、重ね型携帯電話機３０と同様の構成部分についての重複する説明は省略するものとする。
【００４３】
この重ね型携帯電話機５０は、前記第１の実施の形態に係る重ね型携帯電話機３０と異なり、図６に示すように、閉状態から反時計回り方向に１８０°だけ回動させることができる構造になっている。
【００４４】
そして、第１筐体３２の表示部１１が配置される面と反対側の面には、コの字型の切り込みによりその内側部分に形成される爪５２が、弾性変形可能に軸３６の近傍に設けられ、この爪５２の第２筐体３４に当接する面の先端側には半球形状の凸部５４が形成されるようになっている。
【００４５】
第１筐体３２の回動可能な角度の範囲（１８０°）を５等分した場合におけるその１つを単位角度として（３６°）、第２筐体３４の操作部１６が配置される面には、その単位角度ごとに、凸部５４が通過する位置に半球形状の凹部５６が形成され、その単位角度ごとに「カチッ」というクリック（ｃｌｉｃｋ）音が鳴るようにして、ユーザーがクリック感を得られるようになっている。
【００４６】
そのため、ユーザーは、このクリック感により、第１筐体３２をどの程度回動させたかについて、単位角度を目安として分かるようになっている。
【００４７】
なお、クリック感を得られるようにするための構造は、このようなものに限られるものではなく、また、単位角度は第１筐体３２の回動可能な角度を５等分したものに限られず、何等分であってもよい。
【００４８】
図７は、重ね型携帯電話機５０の回路を示すブロック図である。図６中においては図示されていないが、重ね型携帯電話機５０には、例えば軸３６にエンコーダーを取り付けるか、或いは軸３６の外周に等間隔でスリットを入れ、軸３６に光を当てて光センサーで検知するなどすることにより、第１筐体３２が第２筐体３４に対して回動した角度を、単位角度おきの数値として計測することができる回動角度計測部５８が設けてある。
【００４９】
次に、重ね型携帯電話機５０の動作について説明する。第２筐体３４の背面の押しボタン４０を１回押し込むと、表示部１１には、図８に示すような画面６０が出力される。ユーザーはこの画面６０を見て、キーロックやマナーモード等のプログラムを起動させるためには、第１筐体３２をどの程度だけ回動させればよいかを知ることができるようになっている。
【００５０】
ここで、画面６０においては、ユーザーが直感的に理解し易いように、回動させる単位角度の数を、１クリック、２クリック等のように表示している。また、本実施の形態についての以後の説明においても、このように記載することにする。
【００５１】
ユーザーは、押しボタン４０を押し込んだ状態を保持しながら、第１筐体３２を必要なクリック数だけ回動させる。押しボタン４０は押し込んだ状態が保持されている間は、その旨の信号を制御部４２に出力し続けるようになっている。制御部４２は、この信号を受けると、回動角度計測部５８に、第１筐体３２が第２筐体３４に対して回動したクリック数を計測開始させる命令を出力するようになっている。
【００５２】
そして、押しボタン４０からユーザーの指が離れると、制御部４２は回動角度計測部５８に、計測したクリック数を出力するように命令し、このクリック数に基づいて対応するプログラムを起動する。
【００５３】
なお、図８の画面６０に表示される、クリック数ごとのプログラムは、ユーザーが異なるプログラムに変更することができるようになっていてもよく、このプログラムは、キーロック、マナーモード及び留守番電話に限られるものではない。
【００５４】
また、本実施の形態においては、単位角度ごとにクリック感を得られるようにして、クリック数（単位角度の数）をカウントすることにより回動した角度を計測するような構成にしたが、クリック感を生じさせないようにして、押しボタン４０を押し込んだ状態を保持しながら第１筐体３２を実際に回動させた角度を計測し、これに基づいてプログラムを起動するようにしてもよい。
【００５５】
このような重ね型携帯電話機５０によれば、第１筐体３２を第２筐体３４に対して回転させることにより、種々のプログラムを起動させることができるようになるので、ユーザーはテンキー２０や十字キー１８による操作と明確に区別して、その回転操作を有効利用することができる。
【００５６】
さらに、操作部１６による操作を行なわなくとも、第１筐体３２を回動させる操作により、表示部１１を見て直ぐにプログラムを起動させることができるようになるので操作性が向上する。また、第２筐体３４の背面に配置された押しボタン４０を押し込みながら、第１筐体３２を回動させるようにするので誤動作を生じさせるおそれもない。
【００５７】
次に、本発明の第３の実施の形態について説明する。図９及び図１０は、本実施の形態に係る重ね型携帯電話機７０（重ね型携帯端末装置に相当）について説明するために参照する図である。
【００５８】
重ね型携帯電話機７０は、前記第１の実施の形態に係る重ね型携帯電話機３０（図１参照）と同様に第１筐体３２を第２筐体３４に対して１回転させることができるようになっている。ただし、第１の実施の形態に係る重ね型携帯電話機３０とは異なり、第２筐体３４の背面に押しボタンは設けられておらず、また、閉状態でも一定の操作をすることができるように、その側面に補助操作キー７２が設けられている。
【００５９】
図１０は、重ね型携帯電話機７０の回路を示すブロック図である。状態検出部７４は、図９中においては図示されていないが、例えば、第１筐体３２の軸３６の近傍に１つの磁石を配置し、第２筐体３４の軸３６の近傍に等間隔で４つのホールＩＣ又は磁気抵抗素子を配置して、磁気センサーを構成することにより、第２筐体３４に対する第１筐体３２の角度の状態を検出することができるようになっているものである。
【００６０】
具体的には、図９に示す４つの状態、すなわち、閉状態、開状態、第１筐体３２を閉状態から時計回り方向に９０°回動させた位置の左９０°状態、第１筐体３２を閉状態から反時計回り方向に９０°回動させた位置の右９０°状態を検出するようになっており、各状態ごとに異なる信号を制御部４２に出力するようになっている。
【００６１】
タイマー７６は、制御部４２から時間計測の開始命令を受けたときには、所定時間としての２秒までの時間計測を開始するようになっているものである。そして、制御部４２から計測終了の命令を受けたときには、時間の計測を終了してその計測値を制御部４２に出力する。また、制御部４２から計測終了の命令を受ける前に所定時間までの時間の計測を終了したときには、所定時間を計測値としてその計測値を制御部４２に出力するようになっている。
【００６２】
制御部４２は、表示部１１、操作部１６、スピーカー１３、マイク１５、及びアンテナに接続された無線部４４等を制御して、各種の機能を実行するようになっている。
【００６３】
特に、開状態又は閉状態であるときから、状態検出部７４がその状態を検出しなくなった場合には、制御部４２は、第２筐体３４に対して第１筐体３２が回転を開始したものと判断すると共に、タイマー７６に時間計測の開始の命令を出力するようになっている。
【００６４】
また、状態検出部７４の検出経過に基づいて、第１筐体３２が第２筐体３４に対して、時計回り方向と反時計回り方向のどちらに回転したかについて、また、１回転したかについて判断し、これが所定時間内にされたかについても判断することができるようになっている。
【００６５】
そして、第１筐体３２が、所定時間内に、時計回り方向または反時計回り方向に１回転したものと判断した場合には、所定のプログラムとして設定されている、補助操作キー７２についてのキーロックのプログラムを起動又は終了するようになっている。
【００６６】
次に、重ね型携帯電話機７０の動作について説明する。重ね型携帯電話機７０が閉状態にあるときには、状態検出部７４がこの状態を検出している。そして、ユーザーが閉状態から第１筐体３２を回転させ始めたときは、状態検出部７４が閉状態であることを検出できなくなることから、制御部４２は第１筐体３２が回転し始めたものと判断する。制御部４２は、このように判断したときには、タイマー７６に時間の計測を開始するように命令する。
【００６７】
ユーザーが第１筐体３２を２秒以内に時計回りに１回転させた場合には、状態検出部７４は再び閉状態になったっことを検出して、その旨の信号を制御部４２に出力する。タイマー７６は、所定時間としての２秒の計測を終了していないので、その旨の信号を制御部４２にまだ出力していない。制御部４２は、タイマー７６に計測終了の命令を出して、計測値を出力させる。
【００６８】
制御部４２は、第１筐体３２が回転を開始してから１回転して、状態検出部７４が再び閉状態を検出するまでに、左９０°状態、開状態、右９０°状態の順に検出したことに基づいて、時計回り方向に回転したと判断する。
【００６９】
したがって、制御部４２は、第１筐体３２が所定時間の２秒以内に時計回りに１回転したものと判断したので、キーロックのプログラムを起動して、補助操作キー７２が操作されても無効となるようにする。
【００７０】
また、ユーザーが第１筐体３２を所定時間の２秒以内に反時計回りに１回転した場合には、状態検出部７４、タイマー７６及び制御部４２が、上記と同様の動作をすることにより、キーロックのプログラムを終了して、補助操作キー７２の操作が有効となるようにする。
【００７１】
また、ユーザーが、第１筐体３２の回転を２秒以内にしなかった場合や、第１筐体３２が１回転させなかった場合には、キーロックのプログラムの起動又は終了は行われない。
【００７２】
なお、本実施の形態においては、第１筐体３２を所定時間内に１回転させることにより、キーロックのプログラムが起動又は終了するようにしたが、マナーモードや留守番電話等のような他のプログラムが起動するようにしてもよい。また、所定のプログラムを起動又は終了させるのに、第１筐体３２の回転数は１回転に限られず、その所定時間も２秒に限られない。
【００７３】
また、このように第１筐体３２を所定時間内に回転させることにより、起動又は終了させることのできるプログラム、所定時間、第１筐体３２の回転数や回転方向等を、ユーザーが設定することができるようにしてもよい。
【００７４】
このような重ね型携帯電話機７０によれば、第１筐体３２を第２筐体３４に対して回転させることにより、種々のプログラムを起動させることができるようになるので、ユーザーはテンキー２０や十字キー１８による操作と明確に区別して、その回転操作を有効利用することができる。
【００７５】
さらに、開状態にしてから操作部１６による操作を行なわなくとも、第１筐体３２を回転させる操作により、直ぐにプログラムを起動又は終了させることができるようになるので操作性が向上する。また、所定時間内に第１筐体３２を回転させるようにするので誤動作を生じさせるおそれもない。
【００７６】
なお、本発明に係る第１ないし第３の実施の形態においては２つの筐体により構成されている重ね型携帯端末装置について示したが、本発明は、重ね型携帯端末装置が３つ以上の筐体により構成されている場合であっても、同様の技術的思想に基づいて適用することができることはいうまでもない。
【００７７】
さらに、上記実施の形態においては携帯電話機について説明したが、本発明はＰＤＡ等の他の種類の携帯端末装置にも、同様に適用することができる。
【００７８】
また、本発明は、表示部を有する筐体と操作部を有する筐体がボールジョイント等を介して連結されることにより、前記特許文献１、特許文献２、及び特許文献３に記載されているような、折り畳み動作と共に、時計回り方向及び反時計回り方向の両方に捻り動作が可能となるように構成されて、常に表示面が外側を向くようにすることができる重ね型携帯端末装置にも適用することができる。
【００７９】
【発明の効果】
以上に説明したように、請求項１及び請求項２に記載の重ね型携帯端末装置によれば、第１筐体を第２筐体に対して回転させることにより、種々のプログラムを起動させることができるようになるので、ユーザーはテンキーや十字キー等の操作部による操作と明確に区別して、その回転操作を有効利用することができる。
【００８０】
また、操作部による操作を行なわなくとも、第１筐体を回転させる操作により、表示部を見て直ぐにプログラムを起動させることができるようになるので操作性が向上する。また、第２筐体の操作部を有する面以外の面に配置されたスイッチを入力しながら、第１筐体を回転させるようにするので誤動作を生じさせるおそれもない。
【００８１】
請求項３に記載の重ね型携帯電話機によれば、第１筐体を第２筐体に対して回転させることにより、種々のプログラムを起動させることができるようになるので、ユーザーはテンキーや十字キーによる操作と明確に区別して、その回転操作を有効利用することができる。
【００８２】
さらに、操作部による操作を行なわなくとも、第１筐体を回転させる操作により、直ぐにプログラムを起動又は終了させることができるようになるので操作性が向上する。また、所定時間内に第１筐体を回転させるようにするので誤動作を生じさせるおそれもない。
【図面の簡単な説明】
【図１】本発明の第１の実施の形態に係る重ね型携帯電話機３０の閉じた状態を示す正面図である。
【図２】図１における重ね型携帯電話機３０の左側面図である。
【図３】図１における重ね型携帯電話機３０の開いた状態を示す正面図である。
【図４】図１における重ね型携帯電話機３０の回路を示すブロック図である。
【図５】図１における重ね型携帯電話機３０の表示部１１に表示される画面４８である。
【図６】本発明の第２の実施の形態に係る重ね型携帯電話機５０の開いた状態を示す正面図である。
【図７】図６における重ね型携帯電話機５０の回路を示すブロック図である。
【図８】図６における重ね型携帯電話機５０の表示部１１に表示される画面６０である。
【図９】本発明の第３の実施の形態に係る重ね型携帯電話機７０を示す正面図である。
【図１０】図９における重ね型携帯電話機７０の回路を示すブロック図である。
【図１１】従来の折り畳み型携帯電話機２を示す斜視図である。
【符号の説明】
２  折り畳み型携帯電話機
４，６  筐体
１０  内側面
１１  表示部
１２  表示面
１３  スピーカー
１４  内側面
１５  マイク
１６  操作部
１８  十字キー
２０  テンキー
３０  重ね型携帯電話機
３２  第１筐体
３４  第２筐体
３６  軸
４０  押しボタン
４２  制御部
４４  無線部
４６  回転数計測部
４８  画面
５０  重ね型携帯電話機
５２  爪
５４  凸部
５６  凹部
５８  回動角度計測部
６０  画面
７０  重ね型携帯電話機
７２  補助操作キー
７４  状態検出部
７６  タイマー
【図１】
2004260749.tif 000003
【図２】
2004260749.tif 000004
【図３】
2004260749.tif 000005
【図４】
2004260749.tif 000006
【図５】
2004260749.tif 000007
【図６】
2004260749.tif 000008
【図７】
2004260749.tif 000009
【図８】
2004260749.tif 000010
【図９】
2004260749.tif 000011
【図１０】
2004260749.tif 000012
【図１１】
2004260749.tif 000013